(57)【要約】  本発明は、−  香箱橋（３３）と、−  前記香箱橋上に取り付けられる香箱であって、前記香箱は、−  端壁および側壁を備える巻胴（２０）と、−  前記巻胴の中心を通過する巻真（１４）と、−  前記巻胴内に収容され、かつ、第１の端部にて前記巻真と、かつ第２の端部にて前記巻胴と係合する板バネと、−  前記巻真が自由に通過し、かつ前記巻胴を閉じる覆い（２８）と、を有する、香箱と、−  前記板バネを引張するために前記巻真に固定された歯止め車（３０）と、を備える時計に関する。前記巻胴は、中間輪（３６）、前記巻真に固定された内輪（４２）、および外輪（３８）を備える第１の玉軸受により枢動され、前記中間輪および前記外輪の一方は前記香箱橋（３３）に固定され、かつ他方は前記端壁に固定される。【選択図】図１
2013527442.tif 000002
【特許請求の範囲】
【請求項１】
−  香箱橋（３３）と、
−  前記香箱橋上に取り付けられた香箱であって、前記香箱は、
−  底部および側壁を含む巻胴（２０）と、
−  前記巻胴の中心を通過する巻真（１４）と、
−  前記巻胴内に収容され、かつ、第１の端部により前記巻真と、かつ第２の端部により前記巻胴と連携する条片バネと、
−  前記巻真により自由に通過され、かつ前記巻胴を閉じる覆い（２８）と、を備える、香箱と、
−  前記条片バネの巻きのために前記巻真に固定された歯止め車（３０）と、を含み、
前記巻胴は、前記巻真に固定された内輪（４２）、中間輪（３６）、および外輪（３８）を含む第１の玉軸受により枢動され、前記中間輪および外輪の一方は前記香箱橋（３３）に締結され、他方は前記底部に固定されることを特徴とする、時計。
【請求項２】
前記中間輪（３６）が前記底部に締結され、かつ前記外輪（３８）が前記香箱橋（３３）に締結されることを特徴とする、請求項１に記載の時計。
【請求項３】
前記中間輪（３６）が前記香箱橋（３３）に締結され、かつ前記外輪（３８）が前記底部に締結されることを特徴とする、請求項１に記載の時計。
【請求項４】
前記歯止め車（３０）が、前記香箱に対向する前記橋の側部上に配置されることを特徴とする、請求項１乃至３の一項に記載の時計。
【請求項５】
香箱巻真（１４）が、第２の玉軸受（４９）を用いて皿（１０）内で枢動されることを特徴とする、請求項１乃至４の一項に記載の時計。
【請求項６】
香箱巻真（１４）が、前記香箱の覆い内に収容された第２の玉軸受を用いて前記香箱の覆い内で枢動されることを特徴とする、請求項１乃至４の一項に記載の時計。
【請求項７】
香箱巻真（１４）が浮動して取り付けられることと、前記香箱橋（３３）上でのみ枢動されることとを特徴とする、請求項１乃至４の一項に記載の時計。
【請求項８】
皿（１０）および前記皿上に取り付けられた香箱を含む時計であって、前記香箱は、
−  底部および側壁を含む巻胴（２０）と、
−  前記巻胴の中心を通過し、かつ前記皿上で枢動するための枢動手段（４０、５４）を装備された巻真（１４）と、
−  前記巻胴内に収容され、かつ、第１の端部により前記巻真と、かつ第２の端部により前記巻胴と連携する条片バネと、
−  前記巻真により通過され、かつ前記巻胴を閉じる覆い（２８）と、を備え、
歯止め車（３０）は、前記バネの巻きのために前記巻真に運動学的に接続され、
前記巻胴は、その一つの輪（３６）が前記皿に固定され、かつ別の輪（３８）が前記巻胴の底部に固定される第１の玉軸受（３４）により枢動され、
香箱巻真（１４）が浮動して取り付けられることと、前記皿（１０）上でのみ枢動されることとを特徴とする、時計。
【請求項９】
中間輪（３６）が前記底部に締結され、かつ外輪（３８）が前記皿に締結されることを特徴とする、請求項８に記載の時計。
【請求項１０】
中間輪（３６）が前記皿に締結され、かつ外輪（３８）が前記底部に締結されることを特徴とする、請求項８に記載の時計。
【請求項１１】
歯止めが前記巻真上に、皿側上に取り付けられることを特徴とする、請求項８乃至１０の一項に記載の時計。
【発明の詳細な説明】
【技術分野】
【０００１】
技術分野
本発明は、機械時計学の分野に関し、より具体的には、その香箱が有利に配置される時計に関する。
【０００２】
香箱は、機械式携帯時計において用いられる駆動機関である。それは、使用者によるかまたは振動重量により巻かれ、それが保存したエネルギーを携帯時計の列に徐々に戻すエネルギー蓄積器として働く。
【背景技術】
【０００３】
発明の背景
従来の香箱は、
−  底部および側壁を有する円筒形の箱である香箱巻胴であって、巻胴が列を駆動する外歯部を設けられる、香箱巻胴と、
−  橋および皿の間で枢動し、かつその芯上に配置された鉤を設けられた香箱巻真と、
−  巻胴の側壁の内径上に形成された皿穴に第１の端部により、かつ香箱巻真の鉤に第２の端部により締結された条片バネと、
−  巻胴を閉じる覆いと、
を備える。
【０００４】
巻胴および覆いは、一般的に、後者の部品を安定化するために香箱巻真を枢動させる働きをする。歯止めは、一般的には二重四方接続により、香箱巻真に固定されて取り付けられる。それは、手動または自動の巻き機器により駆動され、巻真を枢動させかつ香箱バネを巻く。
【０００５】
当業者は、機構部分の効率を改善する際の主な要因の１つが、様々な要素の枢動および関連する摩擦の弱さの特性であることを知っている。この点は、及ぼされる力が著しく、巻真および巻胴の案内における欠陥が動力保存に無視できない結果を及ぼし得た香箱において特に必須である。
【０００６】
文献ＣＨ６１０１７８（スイス特許第６１０１７８号公報）は、香箱の枢動特性を改善するという目標をもって、それを一端が飛び出すように玉軸受を用いて巻くことを提案している。玉軸受が前記軸受の内輪に打ち込まれる一方で、外輪が皿内に形成された土台内に締結される。さらに、巻胴は、連携する巻軸を用いて外側から枢動される。
【発明の概要】
【発明が解決しようとする課題】
【０００７】
しかしながら、巻軸の存在は、それらが創出する嵩の点から特に厄介である。さらに、経験から、上述の文献にて提案されている機器の精度はあまり満足のいくものではないことが分かっている。本発明は、この欠点を相殺することだけでなく、香箱の枢動を改善することも目指している。
【課題を解決するための手段】
【０００８】
発明の簡単な記載
より具体的には、本発明によれば、巻胴は、巻真に固定された内輪、中間輪、および外輪を有する第１の玉軸受により枢動され、中間輪および外輪の一方は香箱橋に締結され、他方は前記底部に固定される。
【０００９】
別の態様によれば、本発明は、その中間輪および外輪の中の一方の輪が枠（橋または皿）の要素に締結され、中間輪および外輪の中の他方の輪が巻胴の底部に締結され、内輪が巻真に締結される、３つの共平面の輪を有する軸受を用いて、その巻真が浮動して取り付けられる、すなわちその端部の一方によってのみ枢動される香箱にも関する。
【００１０】
図面の簡単な記載
他の詳細は、以下の記載を読む際により明瞭に現れることになり、添付の図面を参照して与えられ、その中で図１乃至５が横断面で本発明の異なる変形を示している。
【図面の簡単な説明】
【００１１】
【図１】横断面で本発明の異なる変形を示している。
【図２】横断面で本発明の異なる変形を示している。
【図３】横断面で本発明の異なる変形を示している。
【図４】横断面で本発明の異なる変形を示している。
【図５】横断面で本発明の異なる変形を示している。
【発明を実施するための形態】
【００１２】
発明の詳細な記載
図１は、時計仕掛けの機構部分の必須の要素を支持する皿１０を示しており、そのエネルギー蓄積器のみが示されている。後者は、伝統的に、皿１０上の枢動手段を設けられた巻真１４を備える香箱１２で作り上げられる。巻真１４の本体は、鉤（図示せず）を設けられた芯１６を画定する。
【００１３】
巻真１４は、巻胴２０の中心を通過する。巻胴は、携帯時計の列を駆動する外歯部２２を設けられる。それは、底部２３およびその直径を形成する側壁を備え、それは土台を画定する。皿穴は、側壁の内側に形成される。巻胴２０は、巻真１４に関連して枢動するように浮動している。
【００１４】
条片バネ２４は土台内に配置され、第１の端部により鉤に、かつ第２の端部により巻胴に、皿穴にて締結される。
【００１５】
覆い２８は巻胴２０を閉じる。巻真１４は前記覆いの中心も通過し、巻真および覆いは互いに関連して浮動している。
【００１６】
歯止め車３０は、例えばネジ３２を用いて、巻真１４に固定して取り付けられる。この車は、条片ネジを巻くために、当業者により知られている巻き手段により駆動されるように設計される。
【００１７】
香箱橋３３は、巻真１４が枢動することを可能にするように、皿上に堅く取り付けられる。歯止め車３０は橋３３を上覆し、かつ巻真１４にねじ込まれる。それを、巻真１４の他端に配置してもよい。
【００１８】
本発明の１つの重要な態様によれば、巻胴２３の底部は香箱橋３３の側部上に位置する。このようにして、巻胴２０は、その底部２３を介して、玉軸受３４を用いて香箱橋３３上で枢動される。図１に例解されている実施形態によれば、前記玉軸受は、
−  例えば図中に示されているようなねじ込みにより、香箱橋３３に締結された中間輪３６と、
−  同じく図中に示されているねじ込みにより、巻胴の底部２３と一体に作られた外輪３８と、
−  例えば駆動またはねじ込みにより、巻真１４と一体に作られた内輪４２と、
を備える。
【００１９】
有利なことに、底部２３は、ネジ通路においてそれを補強するために僅かな過剰厚さを有することがある。さらに、この過剰厚さにより、底部２３および軸受の他の要素の間に僅かな遊びを画定し、任意の余分な摩擦を防ぐことが可能になる。中間輪を締結するネジの頭部を、香箱橋３３内に形成された凹部４０内に配置してよい。
【００２０】
従って、軸受３４は、その中に巻真１４が配置されるように設計される、円形の中心孔を設けられた内輪４２を備える。軸受の輪は玉用の軸受表面を有するように構成され、これらをここで概説する必要はない。弓は、玉の転動路を完全に画定するように輪を完成させることができる。
【００２１】
当然ながら、時計香箱１２の寸法に鑑みて、用いられる軸受は微小軸受であり、その精度は、枢動軸の完璧な位置付けおよび運動部品の最適な案内を保証するために最大でなければならない。
【００２２】
本発明によれば、香箱橋３３は巻真の浮動通路のための開口部を有することに留意されたい。上記に記載されているような軸受の存在に鑑みて、香箱橋３３において巻真の枢動のために軸受ブロックを形成する必要性は全くない。そのような軸受ブロックは、底部２３においても有用でない。
【００２３】
他の運動部品のために香箱の周りの全体の空間を開放する、他の周囲の案内手段の必要性も全くない。さらに、香箱橋３３への接続部品ひいては巻真１４および巻胴２０の枢動のための参照要素を作り上げる中間輪３６が、いかなる場合でもそうした要素がそれらの枢動軸にて直接枢動された場合よりも大きい、比較的大きい直径を有するという事実は、前記要素の機構部分により良好な安定性およびより多大な精度を与える。これは、巻胴２０の枢動のためだけでなく、玉軸受によっても枢動されるが、その中心に直接配置される当該技術水準の香箱巻真よりも、遥かに良好に応力を支える巻真１４のそれのためにも有益である。上記に記載されているような香箱で得られる効率は、当該技術水準の香箱と比較して実質的に改善される。
【００２４】
図１に例解されている実施形態では、香箱巻真１４が一端が飛び出すように取り付けられない。皿１０の側部上に位置するその端部は、皿内に配置された第２の玉軸受４９により枢動される。伝統的には、この軸受４９は、皿に打ち込まれた第１の外輪５２、および巻真１４に固定された第２の内輪５４を備える。
【００２５】
図２に例解されている第１の変形によれば、第２の軸受４９は巻胴２０の覆い内に直接収容され、それにより組立体の厚さを減少させることが可能になる。香箱巻真１４はもはや皿内で枢動されないが、覆い２８に関連して枢動する。
【００２６】
図３に提案されている第２の変形では、香箱巻真１４が完全に浮動して取り付けられる。言い換えれば、香箱巻真は香箱橋３３上でのみ枢動され、皿にも巻胴の覆い２８にも関連して枢動されない。香箱巻真を短縮してよく、かつ巻胴の覆いの厚さを低減し、組立体をさらに薄くしてよい。巻胴の覆いを完全に除去することさえ可能である。機構部分の他の部品の組み立てとは独立して香箱橋上に香箱を組み立てることを可能にするので、この構造は特に有利である。そのため、機構部分を取り付けるための作業はより容易にされる。さらに、巻真の通路のための底開口部が腕部の外径よりも大きいという条件で、全体の香箱を完全に分解する必要なく、香箱の巻真または底部のどちらかを橋上に取り付け、かつそれらを橋から取り外すことが可能である。
【００２７】
提案されている実施形態が、軸受３４について、中間輪３６が香箱橋３３および外輪３８に香箱の底部２３で締結されることを示しているが、この構造を逆にしてよい。そのため、本発明の範囲を超えることなく、中間輪３６を香箱の底部２３に、かつ外輪３８を香箱橋３３に締結することが可能である。
【００２８】
さらに、図３の変形に関しては、皿上に香箱を浮動して取り付けることを考慮することも有利に可能である。本発明により提案されているような軸受により与えられる安定性のために、香箱巻真の枢動をその２つの端部により除くことが可能であることが、実際に観測されている。そして、香箱巻真は皿上でのみ枢動され、枢動は覆いにおいて全く提供されない。
【００２９】
そのため、図４に提案されているように、香箱橋を除去し、対応する厚さを節約することが可能である。歯止め車３０を巻真上に取り付けるために、橋がない場合には、小さい横材つまり軽い肩部６０を香箱巻真上に設け、歯止め車を高さ方向に位置付けることが可能である。
【００３０】
機構部分の構造を適合させることにより、歯止め車３０を皿側上に取り付けることも可能である。図５では、歯止め車は、香箱を受容するそれに対向する皿１０の表面上に取り付けられる。この変形でも、中間輪３６が巻胴の底部に締結され、かつ外輪３８が皿に締結されること、または中間輪３６が皿に締結され、かつ外輪３８が底部に締結されることを規定することが可能である。
【００３１】
そのため、提案されているのは、案内および摩擦の弱さの程度の両方の点から、その香箱の様々な要素が最適に枢動される時計である。これは、香箱の周りの皿を取り散らかすことなく得られる。さらに、浮動している巻真１４を有する、図３〜５に提案されている変形は、厚さおよび摩擦の点から特に有利である。
【００３２】
そのような香箱の動力保存は、当該技術水準のそれよりも多大であるその効率のために改善される。そのため、所望の振幅を天府に与えるために、より弱く、ひいてはより薄いバネを用いることが可能である。従って、当該バネは、同じ体積にてより多数の回転にわたり巻かれ、ひいてはより多大な量のエネルギーを保存することができる。
【図１】
2013527442.tif 000003
【図２】
2013527442.tif 000004
【図３】
2013527442.tif 000005
【図４】
2013527442.tif 000006
【図５】
2013527442.tif 000007
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
皿（１０）および枠の要素上に取り付けられた香箱を含む時計であって、前記香箱は、
−  底部および側壁を含む巻胴（２０）と、
−  前記巻胴の中心を通過し、かつ前記皿上で枢動するための枢動手段（４０、５４）を装備された巻真（１４）と、
−  前記巻胴内に収容され、かつ、第１の端部により前記巻真と、かつ第２の端部により前記巻胴と連携する条片バネと、
−  前記巻真により通過され、かつ前記巻胴を閉じる覆い（２８）と、を備え、
歯止め車（３０）は、前記バネの巻きのために前記巻真に運動学的に接続され、
内輪、中間輪、および外輪を備える玉軸受（３４）を用いて、香箱巻真（１４）が浮動して取り付けられ、すなわち、その端部の一方によってのみ枢動され、その前記中間輪および外輪の中の１つの輪は、前記枠の要素に締結され、前記中間輪および外輪の中の他方の輪は、前記巻胴の底部に締結され、かつ前記内輪は前記巻真に締結されることを特徴とする、時計。
【請求項２】
前記枠の前記要素が橋であることを特徴とする、請求項１に記載の時計。
【請求項３】
前記橋が香箱橋（３３）である、請求項２に記載の時計。
【請求項４】
前記中間輪（３６）が前記底部に締結され、かつ前記外輪（３８）が前記香箱橋（３３）に締結されることを特徴とする、請求項３に記載の時計。
【請求項５】
前記中間輪（３６）が前記香箱橋（３３）に締結され、かつ前記外輪（３８）が前記底部に締結されることを特徴とする、請求項３に記載の時計。
【請求項６】
前記歯止め車（３０）が、前記香箱に対向する前記橋の側部上に配置されることを特徴とする、請求項３乃至５の一項に記載の時計。
【請求項７】
前記枠の前記要素が皿（１０）であることを特徴とする、請求項１に記載の時計。
【請求項８】
前記中間輪（３６）が前記底部に締結され、かつ外輪（３８）が前記皿に締結されることを特徴とする、請求項７に記載の時計。
【請求項９】
前記中間輪（３６）が前記皿に締結され、かつ外輪（３８）が前記底部に締結されることを特徴とする、請求項７に記載の時計。
【請求項１０】
歯止めが前記巻真上に、皿側上に取り付けられることを特徴とする、請求項７乃至９の一項に記載の時計。
【請求項１１】
前記内輪、前記中間輪、および前記外輪が共平面であることを特徴とする、請求項１乃至１０の一項に記載の時計。
【国際調査報告】
2013527442.tif 000008
2013527442.tif 000009
2013527442.tif 000010
2013527442.tif 000011
2013527442.tif 000012
2013527442.tif 000013